(57)【要約】【課題】  開封と同時に内容物を取り出すことが可能な冊子状印刷物を提供する。【解決手段】  一対の矩形状の表紙１１、裏表紙１３の１辺の端部に綴じ部が設けられ、綴じ部を除く３周辺に接着部Ｓ１、Ｓ２、Ｓ３が設けられ綴じ部、接着部で周囲４辺が接着され、表紙１１、裏表紙１３より小さい寸法である冊子中紙片１２が一対の表紙１１、裏表紙１３の間に挿入され綴じ部で冊子中紙片１２と表紙１１、裏表紙１３が綴じられ一体化されており、表紙１１には、綴じ部以外の対向する２辺を結ぶ方向に所定の間隔で切込みを有する開封部Ｚが設けられ、裏表紙１３には、表紙１１において形成された開封部Ｚに対応する位置に、切取予定線Ｍが設けられている。【選択図】  図２
2016107452.tif 000002
【特許請求の範囲】
【請求項１】
一対の矩形状の外側基材の１辺の端部に綴じ部が設けられ、該綴じ部を除く３周辺に接着部が設けられ前記綴じ部、前記接着部で周囲４辺が接着され、前記外側基材より小さい寸法である内部基材が前記一対の外側基材の間に挿入され前記綴じ部で前記内部基材と前記外側基材が綴じられ一体化された冊子状印刷物であって、
前記一対の外側基材のうち、第１の外側基材には、前記綴じ部以外の対向する２辺を結ぶ方向に所定の間隔で切込みを有する開封部が設けられ、前記一対の外側基材のうち、第２の外側基材には、前記第１の外側基材において形成された開封部に対応する位置に、切取予定線が設けられていることを特徴とする冊子状印刷物。
【請求項２】
前記開封部は、前記切込みが前記綴じ部側の辺と対向する辺を結ぶ方向に所定の間隔を隔てて２列形成されており、前記切取予定線は、前記第１の外側基材において開封部として形成された２列の切込みに挟まれる位置に、切取予定線が設けられていることを特徴とする請求項１に記載の冊子状印刷物。
【発明の詳細な説明】
【技術分野】
【０００１】
本発明は、商品カタログ、パンフレット等を冊子の状態で郵送、宅配、あるいは手渡し等することができ、受け取った顧客が容易に開封できる冊子状印刷物に関する。
【背景技術】
【０００２】
従来、商品または役務の内容を記載した冊子（カタログ、パンフレット等）は、種々の分野で広く利用されている。例えば、特定の顧客向けサービスとしてデパートなどが行うギフト商品の紹介、旅行会社が行う旅行案内、あるいは、通販会社等で、過去に注文を受けた顧客等に対して、ダイレクトメール等が近年盛んに採り入れられている。ダイレクトメールで多くの商品、役務等の情報を顧客に届ける場合、通常は封筒の中にカタログ等の冊子や案内状、返信用申込葉書等を同封して郵送、あるいは、宅配することが一般的に行われている。そのために、デパートや旅行会社、通販会社といった送り手側では一度に多くの情報を顧客に提供することができ、結果として顧客側への宣伝効果の高いものとなっている。
【０００３】
ダイレクトメールが送付されてきた際に封筒を開封後、封筒内の同封物の取り忘れなどがあるが、顧客等に見てもらうことなく廃棄されてしまい、ダイレクトメールの効果が薄れてしまう場合がある。近年、このような問題を解決した冊子状印刷物も開発されている（特許文献１参照）。
【先行技術文献】
【特許文献】
【０００４】
【特許文献１】特開２０１０−２６９４４８号公報
【発明の概要】
【発明が解決しようとする課題】
【０００５】
ダイレクトメールの最も重要なポイントとして同封物を顧客に見てもらうことがある。通常、顧客が内容を確認するためにはまず封筒を開封し、同封物を取り出す作業が必要となるが、開封はしても内容物や同封物を取り出さずに廃棄してしまう場合もある。
【０００６】
そこで、本発明は、開封と同時に内容物を取り出すことが可能な冊子状印刷物を提供することを課題とする。
【課題を解決するための手段】
【０００７】
上記課題を解決するため、請求項１の冊子状印刷物は、
一対の矩形状の外側基材（表紙、裏表紙）の１辺の端部に綴じ部が設けられ、該綴じ部を除く３周辺に接着部が設けられ前記綴じ部、前記接着部で周囲４辺が接着され、前記外側基材より小さい寸法である内部基材（冊子中紙片）が前記一対の外側基材の間に挿入され前記綴じ部で前記内部基材と前記外側基材が綴じられ一体化された冊子状印刷物であって、
前記一対の外側基材のうち、第１の外側基材（表紙）には、前記綴じ部以外の対向する２辺を結ぶ方向に所定の間隔で切込みを有する開封部が設けられ、前記一対の外側基材のうち、第２の外側基材（裏表紙）には、前記第１の外側基材において形成された開封部に対応する位置に、切取予定線が設けられていることを特徴とする。
【０００８】
請求項１の冊子状印刷物によれば、一対の矩形状の外側基材の１辺の端部に綴じ部が設けられ、綴じ部を除く３周辺に接着部が設けられ綴じ部、接着部で周囲４辺が接着され、外側基材より小さい寸法である内部基材が一対の外側基材の間に挿入され綴じ部で内部基材と外側基材が綴じられ一体化された冊子状印刷物であって、一対の外側基材のうち、第１の外側基材には、綴じ部以外の対向する２辺を結ぶ方向に所定の間隔で切込みを有する開封部が設けられ、一対の外側基材のうち、第２の外側基材には、第１の外側基材において形成された開封部に対応する位置に、切取予定線が設けられているため、切取予定線により開封を行うと同時に一対の外側基材を内部基材と分離し、内容物である内部基材を取り出すことが可能となる。
【０００９】
また、請求項２の冊子状印刷物は、請求項１の冊子状印刷物において、前記開封部は、前記切込みが前記綴じ部側の辺と対向する辺を結ぶ方向に所定の間隔を隔てて２列形成されており、前記切取予定線は、前記第１の外側基材において開封部として形成された２列の切込みに挟まれる位置に、切取予定線が設けられていることを特徴とする。
【００１０】
請求項２の冊子状印刷物によれば、第１の外側基材における開封部が、切込みが綴じ部側の辺と対向する辺を結ぶ方向に所定の間隔を隔てて２列形成されており、第２の外側基材における切取予定線が、第１の外側基材において形成された２列の切込みに挟まれる位置に設けられているので、２列の切込みの間が除去されて第１の外側基材の一部が大きく開き、第２の外側基材における切取予定線による切り取りを容易に行うことが可能となる。
【発明の効果】
【００１１】
本発明によれば、開封と同時に内容物を取り出すことが可能な冊子状印刷物を提供することが可能となる。
【図面の簡単な説明】
【００１２】
【図１】本発明の一実施形態に係る冊子状印刷物を構成する各基材を示す平面図である。
【図２】本発明の一実施形態に係る冊子状印刷物の重ね合わせの様子を示す図である。
【図３】本発明の一実施形態に係る冊子状印刷物の断面図である。
【図４】冊子状印刷物に形成された開封部の一部拡大図である。
【図５】本実施形態に係る冊子状印刷物の使用方法を説明するための図である。
【図６】冊子状印刷物の変形例を示す平面図である。
【発明を実施するための形態】
【００１３】
以下、本発明の好適な実施形態について、図面を参照して詳細に説明する。
図１は、本発明の一実施形態に係る冊子状印刷物を構成する各基材を示す平面図である。このうち、図１（ａ）は表紙、図１（ｂ）は冊子中紙片、図１（ｃ）は裏表紙を示している。表紙および裏表紙は外側基材の一例であり、冊子中止片は内部基材の一例である。また、本来、冊子状印刷物の形態自体には表裏の区別はないが、本明細書では、図１（ａ）に示した宛名等が記載される表紙の表示面を表面、他方を裏面として説明していく。図１においては、各基材はいずれも表面側から見た状態を示している。実際には、各基材の表面、裏面には、様々な情報を印刷しておくことができるが、図面が繁雑になるのを避けるため、ここでは、これらを省略している。
【００１４】
図１（ａ）に示す表紙１１は、裏表紙１３とともに封筒を構成し、冊子状印刷物の表面側に位置するものである。図１（ａ）に示すように、表紙１１には、宛名などを印字する情報表示部や、差出料金表示が印刷されている。図１（ａ）では、省略しているが、広告情報を表示する広告表示部や差出人を表示する差出人表示部が印刷等により形成されていてもよい。また、冊子中紙片１２を綴じる綴じ部が形成される側である左端から所定の距離だけ離れた位置に、開封部Ｚが天地方向（図面上下方向）に渡って形成されている。所定の距離だけ離れた位置とは、左端から２０ｍｍ〜５０ｍｍの範囲であり、左端から左右長の１／５以内となる位置である。
【００１５】
図１（ｂ）に示す冊子中紙片１２は、封緘された封筒内部の紙片である。図１（ｂ）に示すように、冊子中紙片１２には、左端である左辺の端部に、左端と平行な方向に沿って接着剤が塗布され、接着剤塗布部Ｔｂを形成している。接着剤塗布部Ｔｂは、いわゆるライングルーと呼ばれる線状糊の形態で形成される。接着剤が塗布される端部とは、左辺の完全な端部だけでなく、端部からわずかな距離だけ離れた位置を含む意味である。すなわち、わずかな隙間を隔てて接着剤が塗布された場合も、端部に塗布されることを意味する。この接着剤塗布部Ｔｂにより、表紙１１と接着することができ、接着部分が綴じ部となる。また、冊子中紙片１２は、表紙１１よりも縦横の長さが短くなるように形成されている。これは、表紙１１と裏表紙１３により形成される封筒に完全に包まれるようにするためである。冊子状印刷物に含まれる冊子中紙片１２は、１枚に限定されず、必要に応じて何枚含めるようにしてもよい。
【００１６】
図１（ｃ）に示す裏表紙１３は、表紙１１とともに封筒を構成し、冊子状印刷物の裏面側に位置するものである。綴じ部が形成される側である左端から所定の距離だけ離れた位置に、切取りミシンＭが天地方向（図面上下方向）に渡って形成されている。所定の距離だけ離れた位置とは、表紙１１と重ね合わせた際に、開封部Ｚの左右方向の幅に含まれる位置である。したがって、左端から２０ｍｍ〜５０ｍｍの範囲であって、左端から左右長の１／５以内のとなる。切取りミシンＭは、切取り用のミシン目線であり、切り取り予定線の一例である。切り取り予定線としては、切り取りを容易にする切り取り予定線としての役割を果たすものであれば、ミシン目線以外の形態であってもよい。切取りミシンＭは、カット部とアンカット部が交互に位置する一般的なミシン目線であるが、カット部とアンカット部の長さや比率は適宜設定することができる。
【００１７】
また、図１（ｃ）に示すように、裏表紙１３表面の左端付近に、当該左端と平行な方向に渡って接着剤が塗布され、接着剤塗布部Ｔｂが形成されている。接着剤塗布部Ｔｂは、いわゆるライングルーと呼ばれる線状糊の形態で形成される。左端付近とは、上述のように、完全な左端位置と、左端からわずかな距離だけ離れた位置を含む意味である。したがって、当然ながら、切取りミシンＭより左端寄りの位置となる。この接着剤塗布部Ｔｂにより、冊子中紙片１２と接着することができ、接着部分が綴じ部となる。裏表紙１３の縦方向の長さ、横方向の長さは、ともに表紙１１と同一となるように形成されている。すなわち、表紙１１と同じ寸法となるように形成されている。
【００１８】
図１（ｃ）に示すように、裏表紙１３表面の上下右の３辺に沿うようにして、端部に、接着剤が塗布され、接着剤塗布部Ｓ１〜Ｓ３を形成している。接着剤塗布部Ｓ１〜Ｓ３は、いわゆるパターングルーと呼ばれる形態で所定形状の領域に形成される。接着剤が塗布される端部とは、各辺の完全な端部だけでなく、端部からわずかな距離だけ離れた位置を含む意味である。すなわち、わずかな隙間を隔てて接着剤が塗布された場合も、端部に塗布されることを意味する。この接着剤塗布部Ｓ１〜Ｓ３により、表紙１１と接着することができ、接着部分が接着部となる。上下右の３辺における接着剤塗布部Ｓ１〜Ｓ３の幅はともに５ｍｍ以上であることが好ましい。また、接着剤塗布部Ｓ１、Ｓ２の左端は、切取りミシンＭに達しない位置までとなっている。接着剤塗布部Ｓ１、Ｓ２の左端は、切取りミシンＭと５ｍｍ以上離れていることが好ましい。切取りミシンＭによる切り取りに影響を与えないようにするためである。図１（ｃ）の例では、接着剤塗布部Ｓ１とＳ３、Ｓ２とＳ３は連続しておらず、間に接着剤が塗布されていない領域が存在するが、連続して塗布し、接着剤塗布部Ｓ１〜Ｓ３がいわゆるコの字状に形成されるようにしてもよい。
【００１９】
図１に示した各基材を重ね合わせて、接着剤により貼り合わせることにより、本実施形態の冊子状印刷物が形成される。具体的な製造方法は、以下の通りである。まず、表紙１１、１枚以上の冊子中紙片１２、裏表紙１３を順に重ねていき、それぞれ接着剤塗布部Ｔａ、Ｔｂに塗布された接着剤により隣接する基材同士を接着する。最後に、裏表紙１３を重ね、裏表紙１３表面の接着剤塗布部Ｓ１〜Ｓ３に塗布された接着剤により表紙１１と裏表紙１３を接着する。
【００２０】
図２は、本実施形態に係る冊子状印刷物の重ね合わせの様子を示す図である。図２においては、図面手前が表面側（上層）、図面奥が裏面側（下層）となっている。図２の例では、冊子中紙片１２として冊子中紙片１２ａ、１２ｂ、１２ｃの３枚を備えた構成となっている。３枚の冊子中紙片１２ａ〜１２ｃは、縦（図面上下方向）、横（図面左右方向）ともに同じ長さとなっている。１番表側の表紙１１と裏表紙１３は、上述のように縦横ともに同じ長さの矩形状であるので、図２に示すように、その四隅を合わせて重ね合わせる。この際、裏表紙１３の表面３辺に形成された接着剤塗布部Ｓ１〜Ｓ３により表紙１１と裏表紙１３が貼り合わされて封筒が形成される。
【００２１】
また、３枚の冊子中紙片１２ａ〜１２ｃは、内部基材として封筒内部に挟み込まれる。詳細には、表紙１１に隣接する冊子中紙片１２ａは、冊子中紙片１２ａの表面に形成された接着剤塗布部Ｔａにより、表紙１１の裏面に接着される。また、冊子中紙片１２ｂは、冊子中紙片１２ｂの表面に形成された接着剤塗布部Ｔｂにより、冊子中紙片１２ａの裏面に接着される。また、冊子中紙片１２ｃは、冊子中紙片１２ｃの表面に形成された接着剤塗布部Ｔｂにより、冊子中紙片１２ｂの裏面に接着される。また、裏表紙１３は、裏表紙１３の表面に形成された接着剤塗布部Ｔｄにより、冊子中紙片１２ｃの裏面に接着される。
【００２２】
３枚の冊子中紙片１２ａ〜１２ｃは縦、横ともに同じ長さの矩形状であるため、その四隅を合わせて重ね合わせる。また、冊子中紙片１２の左端が、表紙１１と裏表紙１３の左端と一致するように重ね合わせられる。天地方向（図面上下方向）については、接着剤塗布部Ｓ１〜Ｓ３による接着を阻害しないように、冊子中紙片１２の天地方向の中心位置が、表紙１１と裏表紙１３の天地方向の中心位置と一致するように貼り合せられる。
【００２３】
重ね合わせ後の冊子状印刷物を図３に示す。図３（ａ）は、図２におけるＡ−Ａに対応する断面図、図３（ｂ）は図２におけるＢ−Ｂに対応する断面図である。本実施形態の冊子状印刷物では、縦方向、横方向ともに、表紙１１が最大であるため、冊子状印刷物を表面から見ると、図１（ａ）に示すように、表紙１１だけが見えることになる。
【００２４】
図３（ａ）に示すように、冊子状印刷物は、表面側（図面上側）から表紙１１、冊子中紙片１２ａ、冊子中紙片１２ｂ、冊子中紙片１２ｃ、裏表紙１３の順に積層されている。図２を用いて説明した重ね合わせ工程により、表紙１１と冊子中紙片１２ａ、冊子中紙片１２ａと冊子中紙片１２ｂ、冊子中紙片１２ｂと冊子中紙片１２ｃ、冊子中紙片１２ｃと裏表紙１３は、それぞれ左端付近において接着剤塗布部Ｔａ〜Ｔｄにより接着されている。また、表紙１１と裏表紙１３は、右端付近において接着剤塗布部Ｓ３により接着されている。また、図３（ｂ）に示すように、表紙１１と裏表紙１３は、上下（図３（ｃ）においては左右）の平行な２辺の端部付近において接着剤塗布部Ｓ１、Ｓ２により接着されている。
【００２５】
次に、表紙１１に形成された開封部について説明する。図１（ａ）に示したように、表紙１１の表面左部分には、開封部Ｚが形成されている。図４（ａ）は、図１（ａ）の左下部分の拡大図である。図４（ａ）に示すように、開封部Ｚは、つまみ部Ｚａ、直行部Ｚｂ、斜行部Ｚｃにより形成されている。つまみ部Ｚａ、直行部Ｚｂ、斜行部Ｚｃは、左右の２つで一対となっている。そのため、開封部Ｚは、綴じ部が形成される左辺以外の対向する２辺である上下辺を結ぶ方向に２列の切目線として形成される。切目線とは、複数の切込みにより形成される線である。この切目線が、つまみ部、斜行部、直行部に分かれている。
【００２６】
つまみ部Ｚａは、天地方向の平行な２本の直線状の切込みが、破線で示した表紙１１の下端部を起点として形成されたものである。直行部Ｚｂと斜行部Ｚｃは、互いの端部が連結されることにより、屈曲した切込みが形成される。直行部Ｚｂと斜行部Ｚｃのなす角の角度は適宜設定することができるが、例えば、１３５°である。つまみ部Ｚａは、表紙１１の下端部に、左右１箇所ずつ形成されるのみであるが、直行部Ｚｂと斜行部Ｚｃは、天地方向（図面上下方向）に渡って所定の間隔で形成される。つまみ部Ｚａ、直行部Ｚｂ、斜行部Ｚｃは、天地方向（図面上下方向）に渡る仮想的な１本の直線に対して左右対称に形成される。
【００２７】
つまみ部Ｚａの切込みの長さをｄａ、直行部Ｚｂの切込みの長さをｄｂ、斜行部Ｚｃの切込みの長さをｄｃとすると、長さｄａ、ｄｂ、ｄｃは適宜設定することができるが、ｄａ＝ｄｂ＝ｄｃであることが好ましい。具体的な長さとしては、ｄａ＝ｄｂ＝ｄｃ＝１０ｍｍとすることができる。また、つまみ部Ｚａの２本の平行な切込みの間隔をｄｄ、２本の平行な直行部Ｚｂ同士の左右方向の間隔をｄｅ、２本の斜行部Ｚｃ同士の左右方向の最短部の間隔をｄｆとすると、間隔ｄｄ、ｄｅ、ｄｆは適宜設定することができるが、ｄｆ＜ｄｄ＜ｄｅである必要がある。隣接する上方の斜行部Ｚｃの下端は、隣接する下方の直行部Ｚｂの上端よりも最大１ｍｍ程度上下してもよいが、本実施形態では、隣接する上方の斜行部Ｚｃの下端と、隣接する下方の直行部Ｚｂの上端の上下方向の間隔を０ｍｍとしている。すなわち、隣接する上方の斜行部Ｚｃの下端同士を結ぶ直線と、隣接する下方の直行部Ｚｂの上端同士を結ぶ直線が一致する。
【００２８】
図１（ｃ）に示したように、表面から見て裏表紙１３の左部分には、切取りミシンＭが形成される。この切取りミシンＭは、裏表紙１３の左端から所定の距離の位置に左端と平行に形成される。左端から所定の距離の位置としては、表紙１１と重ねた際に、左右の２本の直行部Ｚｂに挟まれる範囲とする。切取りミシンＭを左右の２本の直行部Ｚｂに挟まれる範囲となる位置に形成しておくことにより、開封部Ｚにより、除去部を除去した後、切取りミシンＭによる切り取りを容易にすることができる。切取りミシンＭの形成位置は、好ましくは、左右の２本のつまみ部Ｚａに挟まれる範囲、より好ましくは、左右の２本の斜行部Ｚｃの最接近部に挟まれる範囲である。本実施形態では、図４（ｂ）に示すように、２本のつまみ部Ｚａ、直行部Ｚｂ、斜行部Ｚｃのちょうど中間としている。
【００２９】
冊子状印刷物を構成する各基材としては、充分な強度とプリンタによる印字適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであっても良い。各基材の厚さは２０〜２００μｍ程度が好ましい。
【００３０】
接着剤塗布部Ｔａ〜Ｔｄ、粘着剤塗布部Ｓ１〜Ｓ３に塗布される接着剤としては、基材を破損せずに剥離困難に接着する公知の接着剤を用いることができる。基材が上質紙、コート紙等の場合、水系アクリルエマルション接着剤を使用することができる。
【００３１】
同封物となる冊子中紙片１２は、様々な印刷が施されることにより、隠蔽ラベルが一体化された返信用はがき、返信用封筒、申込書、振込票として機能させることができる。開封部を構成するつまみ部、直行部、斜行部の切込みは、ピナクル刃やビク刃を用いて機械加工することにより形成される。
【００３２】
＜使用方法＞
本実施形態に係る冊子状印刷物の使用方法について説明する。図５は、本実施形態に係る冊子状印刷物の使用方法を説明するための図である。図１（ａ）に示したような状態で、冊子状印刷物が顧客の元に届けられると、顧客は、表紙１１の下端のつまみ部Ｚａを摘んで上方に引っ張り、斜行部Ｚｃおよび直行部Ｚｂの切込みから切り取り、除去部を除去する。この結果、冊子状印刷物は、図５（ａ）のような状態となる。図５（ａ）に示すように、除去部が除去された部分においては、下層側に、冊子中紙片１２および切取りミシンＭが確認できる。この状態で、裏表紙１３の切取りミシンＭを切り取って、表紙１１と裏表紙１３からなる封筒部Ｆを、冊子中紙片１２の束から分離する。これにより、開封と同時に内容物である冊子中紙片１２を取り出すことができる。このため、内容物を取り忘れることがなくなる。
【００３３】
＜変形例＞
次に、変形例について説明する。図６は、変形例における冊子用印刷物の表面側平面図である。変形例では、表紙１１´に形成された開封部Ｚ´のみが、上記実施形態と異なっており、それ以外は、上記実施形態と同じである。変形例では、開封部Ｚ´が１本のミシン目線で形成されている。開封部Ｚ´であるミシン目線の具体的な形態は、どのようなものであってもよいが、切取りミシンＭと同一形態、すなわち、カット部とアンカット部の長さや比率が同一な形態であれば、加工を効率的に行うことができる。開封部Ｚ´がミシン目線の場合、表紙１１´と裏表紙１３を重ね合わせた際に、切取りミシンＭと略重なる位置に形成することが好ましい。
【符号の説明】
【００３４】
１１、１１´・・・表紙（第１の外側基材）
１２、１２ａ、１２ｂ、１２ｃ・・・冊子中紙片（内部基材）
１３・・・裏表紙（第２の外側基材）
Ｆ・・・封筒部
Ｍ・・・切取りミシン（切取予定線）
Ｓ１、Ｓ２、Ｓ３・・・接着剤塗布部
Ｔａ、Ｔｂ、Ｔｃ、Ｔｄ・・・接着剤塗布部
Ｚ、Ｚ´・・・開封部
Ｚａ・・・つまみ部
Ｚｂ・・・直行部
Ｚｃ・・・斜行部
【図１】
2016107452.tif 000003
【図２】
2016107452.tif 000004
【図３】
2016107452.tif 000005
【図４】
2016107452.tif 000006
【図５】
2016107452.tif 000007
【図６】
2016107452.tif 000008